(57)【要約】  患者インターフェイスデバイスは、クッションと、顔面プレート部を有するフレームを含んでいる。クッションはフレームに結合されている。顔面プレート部は、主オリフィスおよび主オリフィスの近傍に穴を有している。デバイスは、さらに、導入端と、導入端に結合されている排出端と、外側周辺に備えられた開口部を有するフード部とを有する流体結合コンジットを含む。導入端は、呼吸ガスを受け入れるように構成されている。排出端は、呼吸ガスの流れを主オリフィスに対して配送するように、主オリフィスに結合されている。フード部は、排出端を取り囲み、穴の上に配置され、排出ガスは、穴を通り、フード部によって捉えられ、開口部を通じてダイレクトされる。
2013540032.tif 000002
【特許請求の範囲】
【請求項１】
患者インターフェイスデバイスであって：
クッションと；
顔面プレート部を有するフレームであり、前記クッションは前記フレームに結合されているフレームと；
導入端と、前記導入端と流体結合している排出端と、外側周辺に備えられた一つまたはそれ以上の開口部を有するフード部とを有する流体結合コンジットと；を含み、
前記顔面プレート部は、主オリフィスおよび前記主オリフィスの近傍に一つまたはそれ以上の穴を有し、
前記主オリフィスおよび前記一つまたはそれ以上の穴は、前記フレームを通じて延びており、
前記導入端は、呼吸ガスを受け入れるように構成されており、
前記排出端は、前記呼吸ガスの流れを前記主オリフィスに対して配送するように、前記主オリフィスに流体結合されており、
前記フード部は、前記排出端を取り囲み、前記一つまたはそれ以上の穴の上に配置され、前記排出ガスが、前記一つまたはそれ以上の穴を通り、前記フード部によって捉えられ、前記一つまたはそれ以上の開口部を通じてリダイレクトされるように、前記顔面プレート部と結合している、
ことを特徴とするデバイス。
【請求項２】
前記流体結合コンジットは、肘部コンジットを含む、
請求項１に記載の患者インターフェイスデバイス。
【請求項３】
前記一つまたはそれ以上の穴は、前記主オリフィスの周りに配置された複数の穴を含む、
請求項１に記載の患者インターフェイスデバイス。
【請求項４】
前記フード部は、前記顔面プレートに対して噛み合い、シールする複数の接触端を含み、
前記一つまたはそれ以上の開口部は、複数の開口部を含み、それぞれの前記開口部は、前記接触端に係るそれぞれのペアの間に定められる、
請求項３に記載の患者インターフェイスデバイス。
【請求項５】
それぞれの前記開口部は、球状の開口部であるか、長方形の開口部である、
請求項４に記載の患者インターフェイスデバイス。
【請求項６】
前記フード部は、前記顔面プレートに対して噛み合い、シールする外側接触端を含み、
前記一つまたはそれ以上の開口部は、前記フード部の外側周辺の周りで、それぞれ前記外側接触端から離れた位置に備えられた複数の開口部を含んでいる、
請求項３に記載の患者インターフェイスデバイス。
【請求項７】
それぞれの前記穴は、それぞれの前記開口部よりも大きい、
請求項６に記載の患者インターフェイスデバイス。
【請求項８】
それぞれの前記穴は、円形で第１の直径を有し、それぞれの開口部は、円形で第２の直径を有し、
前記第１の直径は、前記第２の直径よりも大きい、
請求項６に記載の患者インターフェイスデバイス。
【請求項９】
前記主オリフィスは、前記顔面プレート部を通じて、前記顔面プレート部から外へ向かって延びる主コンジットを含む、
請求項１に記載の患者インターフェイスデバイス。
【請求項１０】
前記顔面プレート部は、前記主コンジットを取り囲むくぼみ部を含み、
前記穴は、前記くぼみ部に備えられており、
前記外側接触端は、前記くぼみ部の外側端と噛み合う、
請求項９に記載の患者インターフェイスデバイス。
【請求項１１】
前記主オリフィスは、前記顔面プレート部を通じて延びる主コンジットを含み、
前記顔面プレート部は、前記主コンジットを取り囲むくぼみ部を含み、
前記一つまたはそれ以上の穴は、前記くぼみ部に備えられ、
前記一つまたはそれ以上の穴の深さは、前記くぼみ部の厚みと同じである、
請求項１に記載の患者インターフェイスデバイス。
【請求項１２】
前記一つまたはそれ以上の穴は、前記顔面プレート部を通じて、前記顔面プレート部から外へ向かって延びる通路部の一部として、それぞれ備えられている、
請求項１に記載の患者インターフェイスデバイス。
【請求項１３】
前記一つまたはそれ以上の穴は、前記顔面プレート部を通じて、前記顔面プレート部から外へ向かって延びる面取りされた部品の一部として、それぞれ備えられている、
請求項１に記載の患者インターフェイスデバイス。
【請求項１４】
前記流体結合コンジットは、前記排出端の周りにフード部によって創出されたチャンバーの中に備えられた一つまたはそれ以上のバッフル部品を含んでいる、
請求項１に記載の患者インターフェイスデバイス。
【請求項１５】
前記流体結合コンジットは、前記導入端および前記フード部を含む第１のピースと、前記排出案およびバッフル部品を含む第２のピースとを有する、２ピースの肘部コンジット部品であり、
前記第１のピースおよび前記第２のピースは、選択的に、お互いに結合するように構成されている、
請求項１に記載の患者インターフェイスデバイス。
【請求項１６】
患者インターフェイスデバイスを通るガスの流れをコントロールする方法であって：
前記患者インターフェイスデバイスの顔面プレートの中に備えられ、主オリフィスに対して流体結合された結合コンジットを通じて、患者に呼吸ガスの陽圧流れを配送するステップと；
前記患者によって排出された排出ガスを、前記主オリフィスの近傍の顔面プレート部の中に備えられた一つまたはそれ以上の穴を通過するように方向付けるステップと；
前記一つまたはそれ以上の穴および前記主コンジットの上に形成されたチャンバーの中で、前記排出されたガスを捉えるステップと；
前記排出されたガスを、前記チャンバーの中に備えられた一つまたはそれ以上の開口部を通じて雰囲気に対して方向付けるステップと、を含む
ことを特徴とする方法。
【請求項１７】
前記チャンバーは、前記結合コンジットの一部である、
請求項１６に記載の方法。
【請求項１８】
前記チャンバーは、前記結合コンジットの一部を形成しているフード部によって形成され、
前記フード部の領域は、前記顔面プレート部に対して噛み合い、シールする、
請求項１７に記載の方法。
【請求項１９】
前記結合コンジットは、肘部コンジットを含む、
請求項１６に記載の方法。
【請求項２０】
患者インターフェイスデバイスであって：
クッションと；
顔面プレート部を有するフレームであり、前記クッションは前記フレームに結合されているフレームと；
導入端と、前記導入端と流体結合しており排出開口部において終了している排出端と、前記排出開口部から離れた位置において前記排出端の外側周辺の少なくとも一部の周りに備えられたディフレクター部と、を有する流体結合コンジットと；を含み、
前記顔面プレート部は、主オリフィスおよび前記主オリフィスの近傍に一つまたはそれ以上の穴を有し、
前記主オリフィスおよび前記一つまたはそれ以上の穴は、前記フレームを通じて延び、前記クッションと流体結合しており、
前記導入端は、呼吸ガスを受け入れるように構成されており、
前記排出端は、前記呼吸ガスの流れを前記主オリフィスに対して配送するように、前記主オリフィスに流体結合されており、
前記ディフレクター部は、排出ガスが、前記クッションから前記一つまたはそれ以上の穴を通じて流れ、前記ディフレクター部によってリダイレクトされ、分散されて、前記排出端の周りを雰囲気に向かって流れるように、前記一つまたはそれ以上の穴の上に配置されている、
ことを特徴とするデバイス。
【請求項２１】
前記ディフレクター部は、アーチ形状である、
請求項２０に記載の患者インターフェイスデバイス。
【請求項２２】
前記流体結合コンジットは、肘部コンジットを含む、
請求項２０に記載の患者インターフェイスデバイス。
【請求項２３】
前記主オリフィスは、前記顔面プレート部を通じて、前記顔面プレート部から外へ向かって延びる主コンジットを含む、
請求項２０に記載の患者インターフェイスデバイス。
【請求項２４】
前記一つまたはそれ以上の穴は、前記主コンジットの周りに配置された複数の穴を含む、
請求項２３に記載の患者インターフェイスデバイス。
【請求項２５】
前記ディフレクター部は、前記排出開口部から離れた位置において、前記排出端の外側周辺全体の周りに備えられている、
請求項２４に記載の患者インターフェイスデバイス。
【請求項２６】
前記顔面プレート部は、前記主コンジットを取り囲むくぼみ部を含み、
前記一つまたはそれ以上の穴は、前記くぼみ部に備えられており、
前記一つまたはそれ以上の穴の深さは、前記くぼみ部の厚みと同じである、
請求項２３に記載の患者インターフェイスデバイス。
【請求項２７】
前記一つまたはそれ以上の穴は、前記顔面プレート部を通じて、前記顔面プレート部から外へ向かって延びる通路部の一部として、それぞれ備えられている、
請求項２０に記載の患者インターフェイスデバイス。
【発明の詳細な説明】
【技術分野】
【０００１】
本特許出願は、２０１０年１０月２２日に出願された米国仮特許出願第６１／４０５７９９号について米国特許法第１１９条（ｅ）に基づき優先権の利益を主張するものであり、上記出願の内容はここにおいて参照として包含される。
【０００２】
本発明は、非侵襲的な（ｎｏｎ−ｉｎｖａｓｉｖｅ）換気と圧力サポートシステムに関する。特には、患者に対してガスを配送するためのシステムと供に使用される患者インターフェイスデバイスに関する。そうしたシステムは、患者の吐出し、及び／又は、患者吐出し流れの拡散によって生じるノイズを低減するための排出ガスアセンブリーを含んでいる。
【背景技術】
【０００３】
患者の気道に対して呼吸ガスの流れを非侵襲的に配送することが必要か、望ましい数多くの状況がある。例えば、患者に挿管すること、または、手術によって患者の食道の中に気管チューブを挿入すること、をしないのである。例えば、非侵襲的な換気として知られている技術を使用して患者を呼吸させることがある。特定の医療障害を処置するための気道陽圧（ｐｏｓｉｔｉｖｅ  ａｉｒｗａｙ  ｐｒｅｓｓｕｒｅ：ＰＡＰ）治療法も知られている。最も有名なものは、閉塞性睡眠時無呼吸（ｏｂｓｔｒｕｃｔｉｖｅ  ｓｌｅｅｐ  ａｐｎｅａ：ＯＳＡ）である。ＰＡＰ治療法は、持続性気道陽圧法（ｃｏｎｔｉｎｕｏｕｓ  ｐｏｓｉｔｉｖｅ  ａｉｒｗａｙ  ｐｒｅｓｓｕｒｅ：ＣＰＡＰ）を含む。ＣＰＡＰでは、患者の気道を開けるようにするために患者の気道に対して一定の陽圧が供給され、そして、患者の呼吸サイクルと供に変化する可変の気道圧力が供給される。こうした治療法は、患者が寝ている夜の間に患者に対して提供される。
【０００４】
ちょうど述べたように、非侵襲的な換気と圧力サポート治療法は、典型的にソフトでフレキシブルな患者の顔にあたるクッションを持ったマスク部品を含む患者インターフェイスデバイスを取り付けることを含んでいる。マスク部品は、これらに限定されるわけではないが、患者の鼻のまわりを密封する鼻のマスク、患者の鼻腔を中に受止める鼻突出部を有する鼻／口腔マスク、または、患者の顔のまわりを密封するフルフェイスマスク、がある。こうした患者インターフェイスデバイスは、また、前頭部支え、頬パッド、そして顎マットといった、他の患者コンタクト部品を使用している。
【０００５】
患者インターフェイスデバイスは、ガス配送ホースに接続され、換気装置または圧力サポートデバイスを患者の気道に接続する。呼吸ガスの流れが、圧力／流れ発生デバイスから患者の気道に対して配送されるようにである。患者の頭の上／まわりにフィットさせるように適合された一つまたはそれ以上のストラップを有するヘッドギアによって、こうしたデバイスを保持することが知られている。
【０００６】
こうした患者インターフェイスデバイスは、また、ガスの流れを患者インターフェイスデバイス及び／又はガス配送ホースから外の雰囲気に対して排出するための排出ガスアセンブリーを含んでいる。患者が吐出した二酸化炭素（ＣＯ２）を、マスク及び／又はガス配送ホースから追い出す必要がある。こうした排出ガスアセンブリーのための数多くの異なる構成が知られているが、従来の排出ガスアセンブリーは、排出ガスの流れが排出ガスアセンブリーを通過する際に過度なノイズを生じる。このノイズは、患者または患者のベッドパートナーの睡眠を妨げかねないという点で望ましくない。
【０００７】
従来の排出ガスアセンブリーに関する別の問題は、排出ガスアセンブリーから出て行くガスの流れが、患者または患者のベッドパートナーを妨害し得ることである。例えば、ガスの流れが、患者または患者のベッドパートナーの目や他の敏感な部位に向けられたとすれば、気分を害し、及び／又は、不快なものである。
【発明の概要】
【発明が解決しようとする課題】
【０００８】
従って、本発明の目的は、従来の患者インターフェイスデバイスの欠点を克服する排出ガスアセンブリーを有する患者インターフェイスを提供することである。この目的は、本発明の一つの実施例に従って達成される。クッションと顔面プレート部を有するフレームを含む、患者インターフェイスデバイスを提供することによる。クッションはフレームに結合されている。顔面プレート部は、主オリフィスおよび主オリフィスの近傍に一つまたはそれ以上の穴を有している。主オリフィスおよび一つまたはそれ以上の穴は、フレームを通じて延びている。患者インターフェイスデバイスは、さらに、導入端と、導入端に結合されている排出端と、外側周辺に備えられた開口部を有するフード部とを有する流体結合コンジットを含んでいる。導入端は、呼吸ガスを受け入れるように構成されており、排出端は、呼吸ガスの流れを主オリフィスに対して配送するように、主オリフィスに流体結合されている。フード部は、排出端を取り囲み、一つまたはそれ以上の穴の上に配置され、排出ガスが、一つまたはそれ以上の穴を通り、フード部によって捉えられ、一つまたはそれ以上の開口部を通じてリダイレクトされるように、顔面プレート部と結合している、
【課題を解決するための手段】
【０００９】
別の実施例においては、患者インターフェイスデバイスを通るガスの流れをコントロールする方法が提供される。本方法は、患者インターフェイスデバイスの顔面プレートの中に備えられ、主オリフィスに対して流体結合された結合コンジットを通じて、患者に呼吸ガスの陽圧流れを配送するステップと、患者によって排出された排出ガスを、主オリフィスの近傍の顔面プレート部の中に備えられた一つまたはそれ以上の穴を通過するように方向付けるステップと、一つまたはそれ以上の穴および主コンジットの上に形成されたチャンバーの中で、排出されたガスを捉えるステップと、排出されたガスを、チャンバーの中に備えられた一つまたはそれ以上の開口部を通じて雰囲気に対して方向付けるステップと、を含むものである。
【００１０】
さらに別の実施例においては、クッションと顔面プレート部を有するフレームを含む、患者インターフェイスデバイスが提供される。クッションはフレームに結合されている。顔面プレート部は、主オリフィスおよび主オリフィスの近傍に一つまたはそれ以上の穴を有し、主オリフィスおよび一つまたはそれ以上の穴は、フレームを通じて延びている。この実施例における患者インターフェイスデバイスは、また、導入端と、前記導入端と流体結合しており排出開口部において終了している排出端と、前記排出開口部から離れた位置において前記排出端の外側周辺の少なくとも一部の周りに備えられたディフレクター部と、を有する流体結合コンジットとを含んでいる。導入端は、呼吸ガスを受け入れるように構成されており、排出端は、呼吸ガスの流れを主オリフィスに対して配送するように、主オリフィスに流体結合されている。ディフレクター部は、排出ガスが、一つまたはそれ以上の穴を通じて流れ、ディフレクター部によってリダイレクトされ、分散されて、排出端の周りを雰囲気に向かって流れるように、一つまたはそれ以上の穴の上に配置されている、
【００１１】
本発明に係るこれらの、そして他の目的、特徴、そして特性は、動作方法および構成の関係するエレメントに係る機能やパーツと製造の経済との組合せに係る機能と同様に、添付の図面に関し以下の記載と添付の特許請求の範囲を考慮することで、より明確になるであろう。これらの全ては本明細書の一部を形成しており、類似の参照番号は、種々の図面において対応するパーツを示している。しかしながら、図面は説明および記述の目的だけのものであり、本発明の範囲を定めるように意図されたものではないことが、はっきりと理解されるべきである。
【図面の簡単な説明】
【００１２】
【図１】図１は、本発明の典型的な実施例に従った患者インターフェイスデバイスの前面斜視図である。
【図２】図２は、図１の患者インターフェイスデバイスのマスク形成部分に係る前面斜視図である。
【図３】図３は、図１の患者インターフェイスデバイスの一部を形成する肘部コンジットに係る後面斜視図である。
【図４】図４は、図１の患者インターフェイスデバイスの一部を形成する肘部コンジットに係る前面斜視図である。
【図５】図５は、本発明の別の典型的な実施例に従った患者インターフェイスデバイスの前面斜視図である。
【図６】図６は、図５の患者インターフェイスデバイスのマスク形成部分に係る前面斜視図である。
【図７】図７は、図５の患者インターフェイスデバイスの一部を形成する肘部コンジットに係る後面斜視図である。
【図８】図８は、図５の患者インターフェイスデバイスの一部を形成する肘部コンジットに係る前面斜視図である。
【図９】図９は、本発明の代替の典型的な実施例に従った患者インターフェイスデバイスの前面斜視図である。
【図１０】図１０は、図９の患者インターフェイスデバイスのマスク形成部分に係る前面斜視図である。
【図１１】図１１は、図９の患者インターフェイスデバイスの一部を形成する肘部コンジットに係る後面斜視図である。
【図１２】図１２は、本発明の他の典型的な実施例に従った患者インターフェイスデバイスの前面斜視図である。
【図１３】図１３は、本発明の他の典型的な実施例に従った患者インターフェイスデバイスの後面斜視図である。
【図１４】図１４は、図１２および図１３の患者インターフェイスデバイスの一部を形成するフレームに係る前面斜視図である。
【図１５】図１５は、図１２および図１３の患者インターフェイスデバイスの一部を形成する肘部コンジットに係る後面斜視図である。
【図１６】図１６は、本発明のさらなる代替の典型的な実施例に従った患者インターフェイスデバイスの前面斜視図である。
【図１７】図１７は、本発明において採用され得る別のさらなる代替の典型的な実施例に従ったフレーム部分の後面斜視図である。
【図１８】図１８は、本発明において採用され得る代替的な肘部コンジットに係る側面図である。
【図１９】図１９は、本発明において採用され得る代替的な肘部コンジットに係る側面図である。
【発明を実施するための形態】
【００１３】
ここにおいて使用されるように、単数形式の冠詞である「一つの（“ａ”、“ａｎ”）」と「その（“ｔｈｅ”）」は、文章で明確にそうでないものと指示されていなければ、複数の参照を含むものである。ここにおいて使用されるように、２つまたはそれ以上のパーツまたはコンポーネントが「結合（“ｃｏｕｐｌｅｄ”）」されるという文章は、直接的あるいは間接的に、複数のパーツが結合され、または一緒に動作することを意味する。例えば、リンクが生じる限りにおいて一つまたはそれ以上の中間的なパーツまたはコンポーネントを通してである。ここにおいて使用されるように、「直接的に結合された（“ｄｉｒｅｃｔｌｙ  ｃｏｕｐｌｅｄ”）」は、２つのエレメントがお互いに直接的に接触していることを意味する。ここにおいて使用されるように、「固定的に結合された（“ｆｉｘｅｄｌｙ  ｃｏｕｐｌｅｄ”）」または「固定された（“ｆｉｘｅｄ”）」は、２つのコンポーネントが、お互いに対しての一定の方向性を維持している一方で、２つのコンポーネントは一つとして動くように結合されていることを意味する。
【００１４】
ここにおいて使用されるように、用語「一つの（“ｕｎｉｔａｒｙ”）」は、コンポーネントが単一のピースまたはユニットとして作成されていることを意味する。つまり、分離して作成されて後にユニットとして一緒に結合されたピースを含むコンポーネントは、「一つの（“ｕｎｉｔａｒｙ”）」コンポーネントまたはボディ（ｂｏｄｙ）ではない。ここにおいて採用されるように、二つまたはそれ以上のパーツもしくはコンポーネントがお互いに「噛み合う（“ｅｎｇａｇｅ”）」という記述は、直接的に、もしくは一つまたはそれ以上の中間パーツまたはコンポーネントを通じてのいずれかにおいて、複数のパーツがお互いに対して力を及ぼし合っていることを意味する。ここにおいて採用されるように、用語「数（“ｎｕｍｂｅｒ”）」は、一または一以上の整数（例えば、複数（ａ  ｐｌｕｒａｌｉｔｙ））を意味する。
【００１５】
ここにおいて使用される、例示であり限定するものではないが、上（“ｔｏｐ”）、下（“ｂｏｔｔｏｍ”）、左（“ｌｅｆｔ”）、右（“ｒｉｇｈｔ”）、上側（“ｕｐｐｅｒ”）、下側（“ｌｏｗｅｒ”）、前（“ｆｒｏｎｔ”）、後ろ（“ｂａｃｋ”）、およびこれらの派生語といった方向のフレーズは、図面の中に示されているエレメントの方向に関するものであり、請求項の中で明確に説明されていなければ特許請求の範囲を限定するものではない。
【００１６】
図１は、本発明の一つの典型的な実施例に従った患者インターフェイスデバイス２の前面斜視図である。患者インターフェイスデバイス２は、本明細書の別のところで詳しく説明されるような方法で肘部コンジット６に流体結合されたマスク４を含んでいる。肘部コンジット６は、好適なホースに結合されるように構成されており（患者サーキット（ｃｉｒｃｕｉｔ）としても参照される）、ホースは、同様に、好適な圧力発生デバイス７に結合されている。圧力発生デバイスは、これらに限定されるわけではないが、一定圧力サポートデバイス（継続的気道陽圧デバイス、またはＣＰＡＰデバイスといったもの）、可変圧力デバイス（例えば、ペンシルバニア州、マレースベイルのフィリップス・レスピロニクスによって生産、販売さているＢｉＰＡＰ（Ｒ）、Ｂｉ−Ｆｌｅｘ（Ｒ）、またはＣ−ＦｌｅｘＴＭ、といったデバイス）、自動滴定圧力サポートデバイス、ベンチレーター、または、ユーザーの気道にガスを配送するための流れを生成するあらゆる他のデバイスを含むものである。
【００１７】
ホースまたはフレキシブルなコンジットは、患者サーキット（図１に模式的に示されている）としても参照されるが、圧力発生デバイス７の排出口を患者インターフェイスデバイス２に接続する。図２は、患者インターフェイスデバイス２のマスク４に係る前面斜視図であり、図３と図４は、それぞれ、患者インターフェイスデバイス２の肘部コンジット４に係る後面および前面斜視図である。
【００１８】
図示された実施例において、マスク４は、鼻／口（フルフェイス）マスクであり、使用時に、ユーザーの鼻孔と口の両方をシール（ｓｅａｌ）することを意味している。しかしながら、鼻マスクまたは顔全体の周りをシールするフルフェイスマスクといった、他のタイプのマスク、または、あらゆる他のマスクもしくは患者の気道への呼吸ガスの流れの配送を促進する患者インターフェイスデバイスが、本発明の範囲の中でマスク４として使用され得る。
【００１９】
マスク４は、フレーム１０に対して動作可能に結合されたシールクッション８を含んでいる。図示された実施例においては、シールクッション８は、ソフトで、フレキシブルで、クッション性があり、弾性的な材料の一つのピースから定められる。これらに限定されるわけではないが、シリコン、適切にソフトな熱可塑性エラストマー、ゲル、閉じたセルフォーム、または、こうした材料のあらゆる組み合わせ、といったものである。フレーム１０は、これらに限定されるわけではないが、射出形成された熱可塑性材料またはシリコン、といった固い、または半ば固めの材料でできており、肘部コンジット６が取付けられる顔面プレート部１２を含んでいる。顔面プレート部１２は、以下に詳しく説明される。
【００２０】
フレーム１０は、顔面プレート部１２の相対する側に配置された一対のヘッドギア接続部１４を含んでいる。ヘッドギア接続部は、ヘッドギアストラップ（図示なし）をマスクに接続するために使用される。図示された典型的な実施例において、それぞれのヘッドギア接続部は、患者インターフェイスデバイス２を患者の頭部にしっかり固定するためのヘッドギアアセンブリー（図示なし）に係るそれぞれの下側ヘッドギアストラップを受入れるように構成された輪１６を含んでいる。本発明は、スナップ、フック、ボールとソケットのコネクター、といったヘッドギアをフレームに取付けるためのあらゆる技術を使用することを想定しており、図示されたものに限定されるものではないことが理解されるべきである。
【００２１】
フレーム１０は、さらに、顔面プレート部１２から延びている延長部２０に取付けられた額サポート１８を含んでいる。額サポート１８は、サポートフレーム２４に結合された額クッション２２を含んでいる。典型的な実施例において、額クッション２２は、これらに限定されるわけではないが、シリコンゴム、適切にソフトな熱可塑性エラストマー、またはこうした材料のあらゆる組み合わせ、といったものからできている。額クッションは、典型的な実施例において、サポートフレーム２４の上にオーバーモールドされている。
【００２２】
額サポート１８は、患者の額を結びつけることによって患者インターフェイスデバイスに対して追加的なサポートを提供するように構成されている。サポートフレーム２４は、その相対する末端に備えられたヘッドギア接続部２６を含んでいる。図示された実施例において、ヘッドギア接続部２６は、患者インターフェイスデバイス２を患者の頭部にしっかり固定するためのヘッドギアセンブリー（図示なし）に係るそれぞれの上側ヘッドギアストラップを受入れるように構成された輪１６として形成されている。本発明は、額サポート１８、サポートフレーム２４、そしてヘッドギア接続部２６についての他の構成を想定していることが理解されるべきである。図示された実施例において、額サポート１８は、フレーム１０の単一部分として示されている。しかしながら、本発明は、従来技術において知られているように、額サポートはフレームに関して調整可能であることも想定している。加えて、本発明は、額サポート構成を全く除外してしまうことも想定している。
【００２３】
図２を参照すると、顔面プレート部１２は、圧力発生デバイスによって供給される患者のための呼吸ガスと患者によって排出される排出ガスの両方が流れるガス流れ領域２８を含んでいる。典型的な実施例では、ガス流れ領域２８は、主コンジット３２を取り囲むくぼみ部３０を含んでいる。本発明は、単一のコンポーネントとして形成されているガス流れ領域２８とくぼみ部３０を含む顔面プレート部も想定している。顔面プレートの種々のコンポーネントは別々のコンポーネントとして形成され、顔面プレート部全体を定めるように、まとめてアセンブリーされ得ることが理解されるべきである。例えば、くぼみ部３０と主コンジット３２を含むガス流れ領域は、顔面プレートの他の部分とアセンブリーされる分離したコンポーネントから形成され得る。分離されたコンポーネントを使用する利点は、種々のコンポーネントを容易に注意でき、顔面プレート部の全体を置き換えることなしに、取替えられることである。
【００２４】
主コンジット３２は、ホース９からのガスの流れを伝えるために、顔面プレート部１２を通じてマスク４の内部に延びている。以下に詳細が説明されるように、主コンジット３２は、呼吸ガスの流れを受け入れるために肘部コンジット６に結合されるように構成されている。加えて、くぼみ部３０は、顔面プレート部１２を通じて延びる一つまたはそれ以上の穴３４を含んでいる。穴３４は、排出ガスアセンブリー部分を定めている。典型的な実施例において、くぼみ部３０は、主コンジット３２の近くに、周りを囲んで配置された複数の穴を含んでいる。本発明は、ガス流れ領域２８の中にある穴の配置の他の構成も想定している。典型的な実施例において、穴３４は、また、円形状であるが、他の形状でもあり得る。正しく理解されるように、雰囲気への排気のために、くぼみ部３０は、顔面プレート１０によって定められたキャビティ（ｃａｖｉｔｙ）から、顔面プレートと肘部コンジット６との間に形成された領域の中に、ガスが流れることできる限りにおいて、くぼみ部３０は任意的なものである。例えば、図４を見ると、こうしたくぼみ部が除外されている。
【００２５】
穴３４の深さは、顔面プレート部１２の厚みと等しい。もしくは、代替的に、穴３４は、顔面プレート部１２の厚みよりも長く延びている管状の通路または面取りされた開口部の中に形成され得る。従って、顔面プレート部１２から外側に、もしくはクッション８の内部によって形成されたスペースの中に向かっている（例えば、図１６と図１７を参照）。典型的な実施例において、穴３４の直径は、排出ガスがクッション８を出る際の流れを制限またがコントロールするものである。例えば、穴３４の直径は０．５ｍｍから２．５ｍｍであり得る。一つの典型的な実施例においては、６０個の穴３４が備えられ、それぞれの穴の直径は０．６ｍｍである。他の典型的な実施例においては、４個の穴３４が備えられ、それぞれの穴の直径は２．０ｍｍである
【００２６】
図３と図４を参照すると、肘部コンジット６は、圧力発生デバイスに結合されたホースに接続されるように構成された導入開口部３８を有する導入端３６を含んでいる。肘部コンジット６は、また、導入端３６および導入開口部３８と流体連通している排出開口部４２を有する排出端４０を含んでいる。排出端４０は、主コンジット３２に対して、取り外し可能に、そして、シールするよう結合されるように構成されている。典型的な実施例において、排出端４０は、気密シールを提供するためのＯリングを備えることができる。
【００２７】
加えて、肘部コンジット６は、排出端４０を取り囲むフード部４４を含んでいる。フード部４４は、導入開口部３８と流体連通していないが、むしろ、排出端４０の周りの導入開口部３８と流体連通していない内部スペース４５を定めるように、排出端４０の内部領域と結ばれている。フード部４４は、複数の接触端４６を含み、接触端の間には複数の半球状の開口部４８が定められている。それらの目的は以下に説明される。図示された実施例において、肘部コンジット６は、任意的に、エントレインメント（ｅｎｔｒａｉｎｍｅｎｔ）バルブ５０を含んでいる。
【００２８】
図１を参照すると、肘部コンジット６は、排出端４０を主コンジット３２の中に挿入することによって取り付けることができる。これが行われると、接触端４６は、顔面プレート部１２の外面と接触し、典型的な実施例においては、外面に対してシールを生成する。加えて、図１に見られるように、フード部４４は、穴３４と主コンジット３２の上に配置される。
【００２９】
動作時には、圧力発生デバイスによって提供されるガスの流れは、肘部コンジット４を通してマスク４に配送される。特に、矢印Ａで示されるように、主コンジット３２を通して導入端３６と排出端４０に対してである。患者が息を吐き出す場合、排出ガスの流れは穴３４を通り、フード部４４（チャンバーを生成している）によって捉えられ、リダイレクト（ｒｅｄｉｒｅｃｔ）される。そして、排出ガスは、図１において矢印Ｂで示されるように、半球状の開口部４８を通じて雰囲気に渡される。マスクのためのこうしたコンポーネントの構成により、排出の流れを放散し、ユーザーまたはユーザーのベッドパートナーの肌にあてられた場合に気分を害するであろうガスの流れの生成を避けている。つまり、穴３４を通ってフード４４と顔面プレート１０との間のスペースによって定められるバッファーチャンバーの中への通路、および、それに続く穴／スペース／開口部４８を通るガスの通路は、肘部コンジットに、またはその周りに排出ガスの柱を生成する。サイズが大きいガスの柱は、雰囲気への排出ガスの流れの拡散を最大化し、それにより潜在的に不快な排出ガスの流れの生成を妨げている。
【００３０】
排出ガスが穴３４を通過する際にはノイズが生成される。しかしながら、フード部４４は、ガスが穴３４を通過する際に生じる音と雰囲気との間に隔離壁を創生する。このノイズ減衰バリアは、ユーザー及び／又はベッドパートナーによって知覚されるノイズを効果的に減少させ、近くに居る人々にとってより良く許容されるトーンへノイズのトーンを変化させる。フード部は、また、患者インターフェイスデバイスの中で反射される排気の流れに関連した音波を発生させ、結果としてさらに程度のよいノイズキャンセルを生じている。
【００３１】
図５は、本発明の別の典型的な実施例に従った患者インターフェイスデバイスの前面斜視図である。患者インターフェイスデバイス６０は、ここにおけるどこかで詳細に説明される方法で、肘部コンジット６４に流体結合されているマスク６２を含んでいる。肘部コンジット６４は、好適なホースに接続するように構成されており、続いて、ここにおけるどこかで説明されるように、好適な圧力発生デバイスに接続される。図６は、患者インターフェイスデバイス６０に係るマスク６２の前面斜視図であり、図７と図８は、それぞれ、患者インターフェイスデバイス６０の肘部コンジット６４に係る前面および後面斜視図である。
【００３２】
図示された実施例において、マスク６２は、鼻／口マスクである。しかしながら、鼻マスクまたはフルフェイスマスクといった、他のタイプのマスクであり、または、患者の気道への呼吸ガスの流れの配送を促進するものが、本発明の範囲内を維持しながらマスク６２として使用され得る。マスク６２は、フレーム６８に結合されたシールクッション６６を含んでいる。図示された実施例においては、シールクッション６６は、ソフトで、フレキシブルで、クッション性があり、弾性的な材料の一つのピースから定められる。これらに限定されるわけではないが、シリコン、適切にソフトな熱可塑性エラストマー、ゲル、閉じたセルフォーム、または、こうした材料のあらゆる組み合わせ、といったものである。フレーム６８は、これらに限定されるわけではないが、射出形成された熱可塑性材料またはシリコン、といった固い、または半ば固めの材料でできており、肘部コンジット６４が取付けられる顔面プレート部７０を含んでいる。顔面プレート部７０は、以下に詳しく説明される。
【００３３】
フレーム６８は、顔面プレート部７０の相対する側から延びる一対の接続部７２を含んでおり、それぞれの接続部は、患者インターフェイスデバイス６０を患者の頭部にしっかり固定するためのヘッドギアアセンブリー（図示なし）に係るそれぞれの下側ヘッドギアストラップを受入れるように構成された輪７４を含んでいる。代替的には、接続部７２よりむしろ、フレーム６８は、ヘッドギアストラップの取付けのためのクイックリリース式クリップを備え得る。フレーム６８は、さらに、顔面プレート部７０から延びている延長部７８に取付けられた額サポート７６を含んでいる。額サポート７６は、サポートフレーム８２に結合された額クッション８０を含んでいる。額クッション８０は、これらに限定されるわけではないが、シリコンゴム、適切にソフトな熱可塑性エラストマー、またはこうした材料のあらゆる組み合わせ、といったソフトで、フレキシブルで、弾性的な材料できている。典型的な実施例において、額クッションは、サポートフレーム８２の上にオーバーモールドされている。額サポート７６は、患者の額を結びつけることによって患者インターフェイスデバイス６０に対して追加的なサポートを提供するように構成されている。サポートフレーム８２は、その相対する末端に備えられた輪８４を含んでいる。それぞれの輪８４は、患者インターフェイスデバイス６０を患者の頭部にしっかり固定するためのヘッドギアアセンブリー（図示なし）に係るそれぞれの上側ヘッドギアストラップを受入れるように構成されている。図１から図４について上述されたマスクのコンポーネントの数多くのバリエーションは、図５から図７に示されるマスクについても同等に適用できることに留意すべきである。
【００３４】
図６を参照すると、顔面プレート部７０は、圧力発生デバイスによって供給される患者のための呼吸ガスと患者によって排出される排出ガスの両方が流れるガス流れ領域８６を含んでいる。ガス流れ領域８６は、主コンジット９０を取り囲むくぼみ部３０を任意的に含んでいる。主コンジット９０は、顔面プレート部７０を通じて延びている。
【００３５】
以下に詳細が説明されるように、主コンジット９０は、呼吸ガスの流れを受け入れるために肘部コンジット６４に結合されるように構成されている。加えて、くぼみ部８８は、顔面プレート部７０を通じて延びる一つまたはそれ以上の穴９２を含んでいる。典型的な実施例において、くぼみ部８８は、主コンジット９０の近くに、周りを囲んで配置された複数の穴９２を含んでいる。典型的な実施例において、穴９２は、また、円形状であるが、他の形状でもあり得る。穴９２の深さは、顔面プレート部７０の厚みと等しい。もしくは、代替的に、穴９２は、顔面プレート部７０の厚みよりも長く延びている管状の通路または面取りされた開口部の中に形成され得る。従って、ここにおけるどこかで説明されるように、クッション６６の内部により形成されたスペースの中に向かっている。典型的で、限定するものではない実施例において、穴９２は、患者インターフェイスデバイス２に係る穴３４よりも制限的ではない。
【００３６】
図７と図８を参照すると、肘部コンジット６４は、圧力発生デバイスに結合されたホースに接続されるように構成された導入開口部９６を有する導入端９４を含んでいる。肘部コンジット６４は、また、導入端９４および導入開口部９６と流体連通している排出開口部１００を有する排出端９８を含んでいる。排出端９８は、主コンジット９０に対して、取り外し可能に、そして、シールするよう結合されるように構成されている。典型的な実施例において、排出端９８は、気密シールを提供するためのＯリングを備えることができる。加えて、肘部コンジット６４は、排出端９８を取り囲むフード部１０２を含んでいる。
【００３７】
フード部１０２は、導入開口部９６と流体連通していないが、むしろ、排出端９８の周りの導入開口部９６と流体連通していない内部スペース１０３を定めるように、排出端９８の内部領域と結ばれている。フード部１０２は、くぼみ部８８の端とシール状態で噛み合うように構成された外側端１０４を含んでおり、気密シールを提供するためのＯリングを含んでいる。フード部１０２は、また、フード部１０２を通じて延びる一つまたはそれ以上の穴１０６を含んでいる。典型的な実施例において、フード部１０２は、フード部１０２の周囲にわたり配置された複数の穴１０６を含んでいる。
【００３８】
典型的な実施例において、穴１０６は、また、円形状であるが、他の形状でもあり得る。典型的な実施例において、穴１０６の直径は、排出ガスがフード部１０２を出る際の流れを制限またはコントロールするものである。例えば、穴１０６の直径は０．５ｍｍから２．５ｍｍであり得る。一つの典型的な実施例においては、６０個の穴１０６が備えられ、それぞれの穴の直径は０．６ｍｍである。他の典型的な実施例においては、４個の穴３４が備えられ、それぞれの穴の直径は２．０ｍｍである。図示されてはいないが、肘部コンジット６４は、任意的にエントレインメント（ｅｎｔｒａｉｎｍｅｎｔ）バルブを含み得る。
【００３９】
図５を参照すると、肘部コンジット６４は、排出端９８を主コンジット９０の中に挿入することによって取り付けることができる。これが行われると、外側端１０４は、顔面プレート部７０くぼみ部８８の端とシールするように噛み合う。加えて、図５に見られるように、フード部１０２は、穴９２と主コンジット９０の上に配置される。
【００４０】
動作時には、圧力発生デバイスによって生成されたガスは、肘部コンジット６４を通してマスク６２に配送される。特に、矢印Ａで示されるように、主コンジット９０を通して導入端９４と排出端９８に対してである。患者が息を吐き出す場合、排出ガスの流れは穴９２を通り、フード部１０２（チャンバーを生成している）によって捉えられ、リダイレクトされる。そして、排出ガスは、矢印Ｂで示されるように、排出ガスの流れを放散する穴１０６を通じて雰囲気に渡される。
【００４１】
排出ガスが穴９２を通過する際にはノイズが生成される。フード部１０２は、音と雰囲気との間に、ノイズを減少させるための隔離壁を創生し、近くに居る人々にとってより良く許容されるトーンへノイズのトーンを変化させる。フード部は、また、患者インターフェイスデバイスの中で反射される排気の流れに関連した音波を発生させ、結果としてある程度のノイズキャンセルを生じている。さらに、典型的な実施例においては、穴９２が主コンジットの周り３６０度に配置されているので、分離される排出ガスの流れに関連するノイズを生じ、マスク６２からのＣＯ２の排出を拡大する。別の言葉で言えば、排出ガスがたどる通路（矢印Ｂによって示される通路）は、吸入ガス（矢印Ａによって示される通路）から離れた別個のものである。結果として、排出ガスは、吸入ガスの流れに逆らって流れることを要しない。これにより、ＣＯ２は、進んでマスクから排出されるようになる。
【００４２】
図１から図４に示す実施例においては、マスクの中の穴３４のサイズが、一般的に図１において１５として示されている排出ガスアセンブリーのための、流量または流れ抵抗を定める。つまり、開口部４８ではなく、穴３４のサイズが、あらゆる与えられた圧力において、排出ガスが雰囲気へ流れる効率を決定するのである。図５から図７に示す実施例においては、その反対が真実である。つまり、肘部コンジット５における穴１０６のサイズが、一般的に６５として示されている排出ガスアセンブリーのための流量または流れ抵抗を定める。つまり、顔面プレートにおいて定められる開口部９２ではなく、穴１０６のサイズが、あらゆる与えられた圧力において、排出ガスが雰囲気へ流れる効率を決定するのである。
【００４３】
マスクのシェル（ｓｈｅｌｌ）とフードの端との間のクリアランスも、また、排出ガスアセンブリーに対する流量または流れ抵抗を定め得ることに留意すべきである。別の言葉で言えば、図５から図７における穴１０６は、フード部１０２と顔面プレート部７０との間に備えられた開口部及び／又はクリアランスと置き換えることができる。
【００４４】
一つの特定的で、限定的でない実施例においては、ここにおけるどこかで説明したように、静かな排気を促進するために、フード部１０２と排出端９８との間の一連のバッフル（ｂａｆｆｌｅ）を含んでいる。
【００４５】
図９は、本発明のさらに代替的で典型的な実施例に従った患者インターフェイスデバイスの前面斜視図である。患者インターフェイスデバイス１１０は、ここにおけるどこかで詳細に説明される方法で、肘部コンジット１１４に流体結合されているマスク１１２を含んでいる。肘部コンジット１１４は、好適なホースに接続するように構成されており、続いて、ここにおけるどこかで説明されるように、好適な圧力発生デバイスに接続される。図１０は、患者インターフェイスデバイス１１０に係るマスク１１２の前面斜視図であり、図１１は、患者インターフェイスデバイス１１０の肘部コンジット１１４に係る前面斜視図である。
【００４６】
図示された実施例において、マスク１１２は、鼻／口マスクである。しかしながら、鼻マスクまたはフルフェイスマスクといった、他のタイプのマスクであり、または、患者の気道への呼吸ガスの流れの配送を促進するものが、本発明の範囲内を維持しながらマスク１１２として使用され得る。マスク１１２は、フレーム１１８に結合されたシールクッション１１６を含んでいる。図示された実施例においては、シールクッション１１６は、ソフトで、フレキシブルで、クッション性があり、弾性的な材料の一つのピースから定められる。これらに限定されるわけではないが、シリコン、適切にソフトな熱可塑性エラストマー、ゲル、閉じたセルフォーム、または、こうした材料のあらゆる組み合わせ、といったものである。フレーム１１８は、これらに限定されるわけではないが、射出形成された熱可塑性材料またはシリコン、といった固い、または半ば固めの材料でできており、肘部コンジット１１４が取付けられる顔面プレート部１２０を含んでいる。顔面プレート部１２０は、以下に詳しく説明される。
【００４７】
フレーム１１８は、顔面プレート部１２０の相対する側から延びる一対の接続部１２２を含んでおり、それぞれの接続部は、患者インターフェイスデバイス１１０を患者の頭部にしっかり固定するためのヘッドギアアセンブリー（図示なし）に係るそれぞれの下側ヘッドギアストラップを受入れるように構成された輪１２４を含んでいる。代替的には、接続部１１２よりむしろ、フレーム１１８は、ヘッドギアストラップの取付けのためのクイックリリース式クリップを備え得る。フレーム１１８は、さらに、顔面プレート部１２０から延びている延長部１２８に取付けられた額サポート１２６を含んでいる。額サポート１２６は、サポートフレーム１３２に結合された額クッション１３０を含んでいる。額クッション１３０は、これらに限定されるわけではないが、シリコンゴム、適切にソフトな熱可塑性エラストマー、またはこうした材料のあらゆる組み合わせ、といったソフトで、フレキシブルで、弾性的な材料できている。典型的な実施例において、額クッションは、サポートフレーム１３２の上にオーバーモールドされている。額サポート１２６は、患者の額を結びつけることによって患者インターフェイスデバイス１１０に対して追加的なサポートを提供するように構成されている。サポートフレーム１３２は、その相対する末端に備えられた輪１３４を含んでいる。それぞれの輪１３４は、患者インターフェイスデバイス１１０を患者の頭部にしっかり固定するためのヘッドギアアセンブリー（図示なし）に係るそれぞれの上側ヘッドギアストラップを受入れるように構成されている。
【００４８】
図１０を参照すると、顔面プレート部１２０は、圧力発生デバイスによって供給される患者のための呼吸ガスと患者によって排出される排出ガスの両方が流れるガス流れ領域１３６を含んでいる。ガス流れ領域１３６は、主コンジット１４０を取り囲むくぼみ部１３８を含んでいる。主コンジット１４０は、顔面プレート部１２０を通じて延びている。
【００４９】
以下に詳細が説明されるように、主コンジット１４０は、呼吸ガスの流れを受け入れるために肘部コンジット１１４に結合されるように構成されている。加えて、くぼみ部１３８は、顔面プレート部１２０を通じて延びる一つまたはそれ以上の穴１４２を含んでいる。典型的な実施例において、くぼみ部１３８は、主コンジット１４０の近くに、周りを囲んで配置された複数の穴１４２を含んでいる。典型的な実施例において、穴１４２は、また、円形状であるが、他の形状でもあり得る。穴１４２の深さは、顔面プレート部１２０の厚みと等しい。もしくは、代替的に、穴１４２は、ここにおけるどこかで説明されるように、顔面プレート部１２０の厚みよりも長く延びている管状の通路または面取りされた開口部の中に形成され得る。典型的な実施例において、穴１４２の直径は、排出ガスがクッション１１６を出る際の流れを制限またがコントロールするものである。例えば、穴１４２の直径は０．５ｍｍから２．５ｍｍであり得る。一つの典型的な実施例においては、６０個の穴１４２が備えられ、それぞれの穴の直径は０．６ｍｍである。他の典型的な実施例においては、４個の穴１４２が備えられ、それぞれの穴の直径は２ｍｍである
【００５０】
図１１を参照すると、肘部コンジット１１４は、圧力発生デバイスに結合されたホースに接続されるように構成された導入開口部１４６を有する導入端１４４を含んでいる。肘部コンジット１１４は、また、導入端１４４および導入開口部１４６と流体連通している排出開口部１５０を有する排出端１４８を含んでいる。排出端１４８は、主コンジット１４０に対して、取り外し可能に、そして、シールするよう結合されるように構成されている。加えて、肘部１１４は、排出開口部１５０から少し離れて（例えば、５ｍｍから１５ｍｍ）排出端１４８の外縁の周りに備えられたディフレクター（ｄｅｆｌｅｃｔｏｒ）部１５２を含んでいる。一つの実施例において、ディフレクター部１５２はアーチ形状であるが、別の実施例では、ディフレクター部１５２は平面状である。
【００５１】
図１１を参照すると、肘部コンジット１１４は、排出端１４８を主コンジット１５０の中に挿入することによって取り付けることができる。これが行われると、ディフレクター部１５２は穴１４２の上に配置される（典型的な実施例においては、図９に示すように、ディフレクター部１５２は直接的に穴１４２の上に配置されている）。ディフレクター部１５２と顔面プレート１２０との間には、ギャップまたはチャンバーが定められる。動作時には、圧力発生デバイスによって生成されたガスは、肘部コンジット１１４を通してマスク１１２に配送される。特に、主コンジット１４０を通して導入端１４６と排出端１４８に対してである。患者が息を吐き出す場合、排出ガスは穴１４２を通り、このギャップの中を通る。ガスは、そして、ディフレクター部によってリダイレクトされ、放散される。ガスが、肘部コンジット１１４の排出端１４８の周りを流れて、雰囲気に渡されるようにである。
【００５２】
図１２は、本発明の他の典型的な実施例に従った患者インターフェイスデバイス１６０の前面斜視図であり、図１３は、後面斜視図である。以下の説明から明らかなように、患者インターフェイスデバイス１６０は、ここにおけるどこかで説明された患者インターフェイスデバイス２と類似している。
【００５３】
患者インターフェイスデバイス１６０は、ここにおけるどこかで説明されるように、シールクッションが結合された（図示なし）フレーム１６２を含んでいる。肘部コンジット１６４は、ここにおけるどこかで詳しく説明されるような方法で、フレーム１６２に結合されている。肘部コンジット１６４は、好適なホースに接続するように構成されており、続いて、ここにおけるどこかで説明されるように、好適な圧力発生デバイスに接続される。図１４は、フレーム１６２の前面斜視図であり、図１５は、肘部コンジット１６４の後面斜視図である。
【００５４】
フレーム１６２は、これらに限定されるわけではないが、射出形成された熱可塑性材料またはシリコン、といった固い、または半ば固めの材料でできており、肘部コンジット１６４が取付けられる顔面プレート部１６６を含んでいる。顔面プレート部１６６は、以下に詳しく説明される。
【００５５】
フレーム１６２は、顔面プレート部１６６の相対する側から延びる一対の接続部１６８を含んでおり、それぞれのヘッドギア接続部１６８は、患者インターフェイスデバイス１６０を患者の頭部にしっかり固定するためのヘッドギアアセンブリー（図示なし）に係るそれぞれの下側ヘッドギアストラップを受入れるように構成された輪１７０を含んでいる。フレーム１６２は、さらに、顔面プレート部１６６から延びている延長部１７４に取付けられた額サポート１７２を含んでいる。額サポート１７２は、その相対する末端に備えられた輪１７８の形式においてヘッドギア接続部を有するサポートフレーム１７６を含んでいる。それぞれの輪１７８は、患者インターフェイスデバイス１６０を患者の頭部にしっかり固定するためのヘッドギアアセンブリー（図示なし）に係るそれぞれの上側ヘッドギアストラップを受入れるように構成されている。
【００５６】
図１４を参照すると、顔面プレート部１６６は、圧力発生デバイスによって供給される患者のための呼吸ガスと患者によって排出される排出ガスの両方が流れるガス流れ領域１８０を含んでいる。ガス流れ領域１８０は、顔面プレート部１６６を通って延びる主オリフィス（ｏｒｉｆｉｃｅ）１８２を含んでいる。主オリフィス１８２は、以下に詳しく説明されるように、円周上の縁領域１８４によって定められ、主オリフィスがそこから呼吸ガスの流れを受け入れることができるよう、肘部コンジット１６４に結合されるように構成されている。加えて、主オリフィスを囲む領域には、顔面プレート部１６６を通じて延びる一つまたはそれ以上の穴１８６が備えられている。典型的な実施例において、穴１８６は円形状であるが、他の形状でもあり得る。例えば、穴１８６の直径は０．５ｍｍから２．５ｍｍであり得る。一つの典型的な実施例においては、６０個の穴１８６が備えられ、それぞれの穴の直径は０．６ｍｍである。他の典型的な実施例においては、４個の穴１８６が備えられ、それぞれの穴の直径は２ｍｍである
【００５７】
図１５を参照すると、肘部コンジット１６４は、圧力発生デバイスに結合されたホースに接続されるように構成された導入開口部１９０を有する導入端１８８を含んでいる。肘部コンジット１６４は、また、導入端１８８および導入開口部１９０と流体連通している排出開口部１９４を有する排出端１９２を含んでいる。排出端１９２は、主オリフィス１８４に対して、取り外し可能に、そして、シールするよう結合されるように構成されている。典型的な実施例において、排出端１９２は、気密シールを提供するためのＯリングを備えることができる。加えて、肘部コンジット１６４は、排出端１９２を取り囲むフード部１９６を含んでいる。フード部１９６は、導入開口部１９０と流体連通していないが、むしろ、排出端１９２の周りの導入開口部１９０と流体連通していない内部スペース１９８を定めるように、排出端１９２の内部領域と結ばれている。フード部１９６は、複数の接触端２００を含み、接触端の間には複数の開口部２０２が定められている。それらの目的は以下に説明される。
【００５８】
図１２を再び参照すると、肘部コンジット１６４は、排出端１９２を主オリフィス１８２の中に挿入することによってフレーム１６２に対して取り付けることができる。これが行われると、接触端２００は、顔面プレート部１６６の外面と接触し、典型的な実施例においては、開口部における顔面プレートと肘部コンジットとの間のガス流路はそのままで、外面に対してシールを生成する。加えて、図１２に見られるように、フード部１９６は、穴１８６と主オリフィス１８２の上に配置される。
【００５９】
動作時には、圧力発生デバイスによって生成されたガスは、肘部コンジット１６４を通して患者インターフェイスデバイス１６０に配送される。特に、主オリフィス１８２を通して導入端１８８と排出端１９２に対してである。患者が息を吐き出す場合、排出ガスは穴１８２を通じて流れ、フード部１９６（チャンバーを形成している）によって捉えられ、リダイレクトされる。そして、穴２０２を通して、雰囲気に渡されることになり、排出流れを放散する。排出ガスが穴１８６を通過する際には、ノイズが生成され、フード部１９６は音と雰囲気との間に隔離壁を創生する。ノイズを減少させ、近くに居る人々にとってより良く許容されるトーンへノイズのトーンを変化させるためである。フード部１９６は、また、反射される排気の流れに関連した音波を発生させ、結果としてさらに程度のよいノイズキャンセルを生じている。
【００６０】
図１６は、本発明のさらなる代替的な実施例に従った患者インターフェイスデバイス２０４の前面斜視図である。患者インターフェイスデバイス２０４は、患者インターフェイスデバイス１６０と類似しており、顔面プレート部２０８とそれに結合されたクッション２１０を有するフレーム２０６を含んでいる。患者インターフェイスデバイス２０４は、また、ここにおけるどこかで説明される肘部コンジット１６４と構成的に類似する肘部コンジット２１２を含んでいる。
【００６１】
図１６に示すように、顔面プレート部２０８は、顔面プレート部２０８を通って延びる主オリフィス２１４を含んでいる。主オリフィス２１４は、円周上の縁領域１８４によって定められ、主オリフィス２１４がそこから呼吸ガスの流れを受け入れることができるよう、肘部コンジット２１２に結合されるように構成されている。加えて、主オリフィス２１４を囲む領域には、顔面プレート部２０８を通じて外に向かって延びる一つまたはそれ以上の管状の通路２１８が備えられている。肘部コンジット２１４が顔面プレート部２０８に取付けられると、肘部コンジット２１２に係るフード部２２０が、管状の通路２１８と主オリフィス２１４の上に置かれる。動作時には、圧力発生デバイスによって生成されたガスは、肘部コンジット２１２を通して患者インターフェイスデバイス２０４に配送される。特に、主オリフィス１８２を通して導入端１８８と排出端１９２に対してである。排出ガスは、通路２１８を通じて流れ、フード部２２０（チャンバーを形成している）によって捉えられ、リダイレクトされる。そして、肘部２２０に係る長方形の開口部２２２を通して、雰囲気に渡されることになり、排出流れを放散する。
【００６２】
図１７は、本発明に採用され得る別の代替的な実施例に従ったフレーム２２４の部分に係る斜視図である。フレーム２２４は、顔面プレート部を通じて延びる主オリフィス２２８を有する顔面プレート部２２６を含んでいる。主オリフィス２２８は、ここにおいて説明されるように、円周状の縁領域２３０によって定められ、主オリフィス２２８がそこから呼吸ガスの流れを受け入れることができるよう、肘部コンジットに結合されるように構成されている。加えて、主オリフィス２２８を囲む領域には、顔面プレート部２２６の内部から外に向かって延びる一つまたはそれ以上の面取りされた開口部２３２が備えられている。
【００６３】
図１８は、本発明の別の代替的で典型的な実施例に従った肘部コンジットに係る右側面図である。肘部コンジット２３４は、ここにおいて説明されるあらゆるフレームと供に採用され得る。肘部コンジット２３４は、導入開口部２３８を有する導入端２３６、および、導入端２３６および導入開口部２３８と流体連通している排出開口部２４２を有する排出端２４０を含んでいる。加えて、肘部コンジット２３４は、排出端２４０を取り囲むフード部２４４を含んでいる。フード部２４４は、肘部コンジット２３４に係る他のコンポーネントが容易に視認できるように、図１８において仮想線で示されている。
【００６４】
フード部２４４は、導入開口部２３８と流体連通していない排出端２４０の周りの内部スペースを定めている。フード部２４４は、また、フード部２４４を通じて延びる一つまたはそれ以上の穴２４６を含んでいる。典型的な実施例において、フード部２４４は、フード部２４４の端部２５５から離れて配置された複数の穴２４４を含んでいる。端部２５５に近い領域において排出ガスが雰囲気に分散される、以前の実施例とは異なり、端部２５５においてフード部の中に流れている排出ガスは、矢印Ｃで示されるように、フード部のもう一方の側に流れる。典型的な実施例においては、また、穴２４６は楕円形状であるが、他の形状でもよい。もちろん、他のサイズ、パターン、数量、配置、内部的な位置、そして、穴に対する他のノイズ削減及び／又は流れ分散特性が、予想される。
【００６５】
さらなる実施例においては、図１８に示すように、肘部コンジット２３４は、フード部２４４によって形成されたチャンバーの中に備えられた、一連のバッフル（ｂａｆｆｌｅ）部品２４８を含んでいる。バッフル部品２４８は、排出流れをそらし、さらに排出を静かにさせる。図示された実施例において、バッフル部品２４８は、排出端２４０に備えられている。本発明は、バッフル部品がフード部に取付けられているというように、バッフル部品があらゆる位置において肘部コンジットと結合されうることを想定している。バッフル部品は、また、あらゆる構成、配置、パターン、サイズ、形状、材料、材料の組合せ、位置、エレメントの数量、方向、またはノイズの最小化及び／又は分散という目的を達成するための他の特性、を有する。
【００６６】
図１８に示す実施例において、肘部コンジット２３４は単一のピースまたは部品として形成されている。図１９は、肘部コンジットに係る代替的な実施例を示している。参照番号２３４’でラベル表示され、お互いにフィットするような２つのピースで形成されているか、そうでなければ、肘部コンジット２３４’を形成するように結合されている。特に、端部２５０は、肘部コンジット２３４’を形成するように端部２５２の中に締まり嵌めされ、次に、ここにおいてどこかで説明されるように、フレームに対して取付けられる。
【００６７】
ここにおいて説明される種々の実施例において、フード部（４４、１０２、１９６、２２０、２４４）は、強化された音響吸収特性をもった低密度材料からできている。そのような材料は、例えば、ポリカーボネート（ＰＣ）、熱可塑性エラストマー（ＴＰＥ）、ＡＢＳ、ポリイミド（Ｎｙｌｏｎ）、ポリプロピレン（ＰＰ）、ポリエステル（ＰＥＴ）、フォーム（ｆｏａｍ）、または他の好適な音響吸収材料、である。加えて、上述のバッフル部品２４８は、強化された音響反射特性を有する材料からできている。
【００６８】
上記のように、穴のサイズ、形状、位置、パターン、配置、構成、顔面プレートの中と肘部コンジットの中の両方にあるか、または肘部コンジットと顔面プレートとの間にあるか、はいろいろである。例えば、顔面プレート及び／又は肘部コンジットにおける複数の穴よりも、むしろ、一つまたはそれ以上のスリットがガス流路を定めるために備えられ得る。同様に、穴や他の排出通路が、３つ全ての位置、すなわち顔面プレート、肘部コンジット、または顔面プレートと肘部コンジットとの間、において備えられ得る。
【００６９】
顔面プレート、肘部コンジット、または顔面プレートと肘部コンジットとの間、における穴／開口部と供に、他の材料または構成が使用され得る。例えば、これらの穴の全てまたは一つまたはそれ以上の部分の上に、ガス布地またはメッシュが備えられる。例えば、これらの穴は、ガスの分散を強化するために傾斜が付けられ得る。
【００７０】
本発明は、排出ノイズの削減、排出ガスの排出改善に有利な患者インターフェイスデバイスを提供し、及び／又は、（通風を削減する）排出流れに関するガスを分散させるものであることが、正しく理解されよう。
【００７１】
特許請求の範囲において、括弧の間に置かれたあらゆる参照番号も、特許請求の範囲を限定するものとして理解されるべきではない。用語「含む（“ｃｏｍｐｒｉｓｉｎｇ“または”ｉｎｃｌｕｄｉｎｇ“）」は、請求項において挙げられたもの以外のエレメントまたはステップの存在を排除するものではない。いくつかの手段を列挙しているデバイスの請求項において、これらの手段のいくつかは、一つの、そして同一のハードウェアのアイテムによって実施され得る。用語「一つの（”ａ“または”ａｎ“）」は、複数のそうしたエレメントの存在を排除するものではない。いくつかの手段を列挙しているあらゆるデバイスの請求項において、これらの手段のいくつかは、一つの、そして同一のハードウェアのアイテムによって実施され得る。異なる独立請求項がお互いに特定のエレメントを引用しているという事実だけでは、これらのエレメントが組合せにおいて使用され得ないことを示すものではない。
【００７２】
本発明について、現在において最も実用的で、好適な実施例であると考えられるものに基づいて、説明目的のために、詳細が述べられてきたが、こうした詳細は、ただ説明目的だけのものであり、本発明が開示された実施例に限定されることはないこと、しかし、反対に、添付の特許請求の範囲、または趣旨の範囲内における変形または均等な構成をカバーするように意図されていること、が理解されるべきである。例えば、本発明は、可能な限りにおいて、あらゆる実施例に係る一つまたはそれ以上の特徴は、他のあらゆる実施例に係る一つまたはそれ以上の特徴と組合わされ得ることを想定していることが理解されるべきである。
【図１】
2013540032.tif 000003
【図２】
2013540032.tif 000004
【図３】
2013540032.tif 000005
【図４】
2013540032.tif 000006
【図５】
2013540032.tif 000007
【図６】
2013540032.tif 000008
【図７】
2013540032.tif 000009
【図８】
2013540032.tif 000010
【図９】
2013540032.tif 000011
【図１０】
2013540032.tif 000012
【図１１】
2013540032.tif 000013
【図１２】
2013540032.tif 000014
【図１３】
2013540032.tif 000015
【図１４】
2013540032.tif 000016
【図１５】
2013540032.tif 000017
【図１６】
2013540032.tif 000018
【図１７】
2013540032.tif 000019
【図１８】
2013540032.tif 000020
【図１９】
2013540032.tif 000021
【手続補正書】
【提出日】平成25年4月24日(2013.4.24)
【手続補正１】
【補正対象書類名】特許請求の範囲
【補正対象項目名】全文
【補正方法】変更
【補正の内容】
【特許請求の範囲】
【請求項１】
患者インターフェイスデバイスであって：
クッションと；
顔面プレート部を有するフレームであり、前記クッションは前記フレームに結合されているフレームと；
導入端と、前記導入端と流体結合している排出端と、外側周辺に備えられた一つまたはそれ以上の開口部を有するフード部とを有する流体結合コンジットと；を含み、
前記顔面プレート部は、主オリフィスおよび前記主オリフィスの近傍に一つまたはそれ以上の穴を有し、
前記主オリフィスおよび前記一つまたはそれ以上の穴は、前記フレームを通じて延びており、
前記導入端は、呼吸ガスを受け入れるように構成されており、
前記排出端は、前記呼吸ガスの流れを前記主オリフィスに対して配送するように、前記主オリフィスに流体結合されており、
前記フード部は、前記排出端を取り囲み、前記一つまたはそれ以上の穴の上に配置され、前記排出ガスが、前記一つまたはそれ以上の穴を通り、前記フード部によって捉えられ、前記一つまたはそれ以上の開口部を通じてリダイレクトされるように、前記顔面プレート部と結合している、
ことを特徴とするデバイス。
【請求項２】
前記一つまたはそれ以上の穴は、前記主オリフィスの周りに配置された複数の穴を含む、
請求項１に記載の患者インターフェイスデバイス。
【請求項３】
前記フード部は、前記顔面プレートに対して噛み合い、シールする複数の接触端を含み、
前記一つまたはそれ以上の開口部は、複数の開口部を含み、それぞれの前記開口部は、前記接触端に係るそれぞれのペアの間に定められる、
請求項２に記載の患者インターフェイスデバイス。
【請求項４】
それぞれの前記開口部は、球状の開口部であるか、長方形の開口部である、
請求項３に記載の患者インターフェイスデバイス。
【請求項５】
前記フード部は、前記顔面プレートに対して噛み合い、シールする外側接触端を含み、
前記一つまたはそれ以上の開口部は、前記フード部の外側周辺の周りで、それぞれ前記外側接触端から離れた位置に備えられた複数の開口部を含んでいる、
請求項２に記載の患者インターフェイスデバイス。
【請求項６】
それぞれの前記穴は、それぞれの前記開口部よりも大きい、
請求項５に記載の患者インターフェイスデバイス。
【請求項７】
それぞれの前記穴は、円形で第１の直径を有し、それぞれの開口部は、円形で第２の直径を有し、
前記第１の直径は、前記第２の直径よりも大きい、
請求項５に記載の患者インターフェイスデバイス。
【請求項８】
前記主オリフィスは、前記顔面プレート部を通じて、前記顔面プレート部から外へ向かって延びる主コンジットを含む、
請求項１に記載の患者インターフェイスデバイス。
【請求項９】
前記顔面プレート部は、前記主コンジットを取り囲むくぼみ部を含み、
前記穴は、前記くぼみ部に備えられており、
前記外側接触端は、前記くぼみ部の外側端と噛み合う、
請求項８に記載の患者インターフェイスデバイス。
【請求項１０】
前記主オリフィスは、前記顔面プレート部を通じて延びる主コンジットを含み、
前記顔面プレート部は、前記主コンジットを取り囲むくぼみ部を含み、
前記一つまたはそれ以上の穴は、前記くぼみ部に備えられ、
前記一つまたはそれ以上の穴の深さは、前記くぼみ部の厚みと同じである、
請求項１に記載の患者インターフェイスデバイス。
【請求項１１】
前記一つまたはそれ以上の穴は、前記顔面プレート部を通じて、前記顔面プレート部から外へ向かって延びる通路部の一部として、それぞれ備えられている、
請求項１に記載の患者インターフェイスデバイス。
【請求項１２】
前記一つまたはそれ以上の穴は、前記顔面プレート部を通じて、前記顔面プレート部から外へ向かって延びる面取りされた部品の一部として、それぞれ備えられている、
請求項１に記載の患者インターフェイスデバイス。
【請求項１３】
前記流体結合コンジットは、前記排出端の周りにフード部によって創出されたチャンバーの中に備えられた一つまたはそれ以上のバッフル部品を含んでいる、
請求項１に記載の患者インターフェイスデバイス。
【請求項１４】
前記流体結合コンジットは、前記導入端および前記フード部を含む第１のピースと、前記排出案およびバッフル部品を含む第２のピースとを有する、２ピースの肘部コンジット部品であり、
前記第１のピースおよび前記第２のピースは、選択的に、お互いに結合するように構成されている、
請求項１に記載の患者インターフェイスデバイス。
【請求項１５】
患者インターフェイスデバイスを通るガスの流れをコントロールする方法であって：
前記患者インターフェイスデバイスの顔面プレートの中に備えられ、主オリフィスに対して流体結合された結合コンジットを通じて、患者に呼吸ガスの陽圧流れを配送するステップと；
前記患者によって排出された排出ガスを、前記主オリフィスの近傍の顔面プレート部の中に備えられた一つまたはそれ以上の穴を通過するように方向付けるステップと；
前記一つまたはそれ以上の穴および前記主コンジットの上に形成されたチャンバーの中で、前記排出されたガスを捉えるステップと；
前記排出されたガスを、前記チャンバーの中に備えられた一つまたはそれ以上の開口部を通じて雰囲気に対して方向付けるステップと、を含む
ことを特徴とする方法。
【請求項１６】
前記チャンバーは、前記結合コンジットの一部である、
請求項１５に記載の方法。
【請求項１７】
前記チャンバーは、前記結合コンジットの一部を形成しているフード部によって形成され、
前記フード部の領域は、前記顔面プレート部に対して噛み合い、シールする、
請求項１６に記載の方法。
【請求項１８】
患者インターフェイスデバイスであって：
クッションと；
顔面プレート部を有するフレームであり、前記クッションは前記フレームに結合されているフレームと；
導入端と、前記導入端と流体結合しており排出開口部において終了している排出端と、前記排出開口部から離れた位置において前記排出端の外側周辺の少なくとも一部の周りに備えられたディフレクター部と、を有する流体結合コンジットと；を含み、
前記顔面プレート部は、主オリフィスおよび前記主オリフィスの近傍に一つまたはそれ以上の穴を有し、
前記主オリフィスおよび前記一つまたはそれ以上の穴は、前記フレームを通じて延び、前記クッションと流体結合しており、
前記導入端は、呼吸ガスを受け入れるように構成されており、
前記排出端は、前記呼吸ガスの流れを前記主オリフィスに対して配送するように、前記主オリフィスに流体結合されており、
前記ディフレクター部は、排出ガスが、前記クッションから前記一つまたはそれ以上の穴を通じて流れ、前記ディフレクター部によってリダイレクトされ、分散されて、前記排出端の周りを雰囲気に向かって流れるように、前記一つまたはそれ以上の穴の上に配置されている、
ことを特徴とするデバイス。
【請求項１９】
前記ディフレクター部は、アーチ形状である、
請求項１８に記載の患者インターフェイスデバイス。
【請求項２０】
前記主オリフィスは、前記顔面プレート部を通じて、前記顔面プレート部から外へ向かって延びる主コンジットを含む、
請求項１８に記載の患者インターフェイスデバイス。
【請求項２１】
前記一つまたはそれ以上の穴は、前記主コンジットの周りに配置された複数の穴を含む、
請求項２０に記載の患者インターフェイスデバイス。
【請求項２２】
前記ディフレクター部は、前記排出開口部から離れた位置において、前記排出端の外側周辺全体の周りに備えられている、
請求項２１に記載の患者インターフェイスデバイス。
【請求項２３】
前記顔面プレート部は、前記主コンジットを取り囲むくぼみ部を含み、
前記一つまたはそれ以上の穴は、前9記くぼみ部に備えられており、
前記一つまたはそれ以上の穴の深さは、前記くぼみ部の厚みと同じである、
請求項２０に記載の患者インターフェイスデバイス。
【請求項２４】
前記一つまたはそれ以上の穴は、前記顔面プレート部を通じて、前記顔面プレート部から外へ向かって延びる通路部の一部として、それぞれ備えられている、
請求項１８に記載の患者インターフェイスデバイス。
【国際調査報告】
2013540032.tif 000022
2013540032.tif 000023
2013540032.tif 000024
2013540032.tif 000025